(57)【特許請求の範囲】
【請求項１】
一方の面にパッド部が配置されたＩＣカードと同じ厚さで、第１の面と第２の面とを形成するカードアダプタと、
前記カードアダプタに第１の面と第２の面にかけてＩＣカードと同じ形状に設けられ、前記ＩＣカードが嵌合する嵌合部と、
前記カードアダプタがスライド挿通される開口を形成するカードコネクタと、
前記カードコネクタに設けられ、前記カードアダプタのスライド挿通方向に交差する幅方向に複数並び、前記開口からスライド挿通されたカードアダプタに嵌合されているＩＣカードのパッド部に押圧力を持って接触するコンタクトと、
前記カードコネクタにおいて、前記開口からスライド挿通されたカードアダプタの第１の面、あるいは、第２の面のいずれかに対面する対面部と、
を備え、
前記カードアダプタは、前記カードアダプタの第１の面、あるいは、第２の面のいずれかに配置され、前記嵌合部に嵌合されたＩＣカードの脱落を防ぐ脱落防止部を有し、
前記脱落防止部は、前記スライド挿通方向に平行に厚みを持って延び、前記嵌合部を通る突部を含み、
前記カードコネクタは、前記開口からスライド挿通されたカードアダプタに対して前記対面部よりも離れて位置し、前記カードアダプタの脱落防止部の通過させる空間領域を形成する退避部を有し、
厚みを持った前記脱落防止部は、コンタクト間に前記スライド挿通方向に平行に凹状に設けられた退避部に、入り込む、
ＩＣカード装着ユニット。
【請求項２】
前記対面部は、前記コンタクトの間の領域及び前記コンタクトに対する前記幅方向に並ぶ領域の少なくともいずれかに形成され、
前記ＩＣカードは、前記嵌合部に対して、前記第２の面側に前記パッド部が向くように前記第１の面側から嵌入され、
前記脱落防止部は、前記カードアダプタの第２の面上に、前記嵌合部に嵌合されたＩＣカードのパッド部と前記コンタクトとの接触を妨げない箇所に配置される、
請求項１記載のＩＣカード装着ユニット。
【請求項３】
前記脱落防止部は、前記幅方向に延びる前記嵌合部の縁部から前記嵌合部に向けて突出している突出部を含む、
請求項１又は２記載のＩＣカード装着ユニット。
【請求項４】
前記退避部は、前記開口からスライド挿通されたカードアダプタに対して離れる方向に凹み、前記スライド挿通方向に延び、前記脱落防止部がスライド嵌合する溝形状をなす、
請求項１乃至３記載のＩＣカード装着ユニット。
【請求項５】
前記脱落防止部は、前記幅方向に非対称である、
請求項４記載のＩＣカード装着ユニット。
【請求項６】
前記カードアダプタにおける前記スライド挿通方向と平行な側面と、前記カードコネクタの内側面とは、凹凸嵌合し、
前記凹凸嵌合は、前記幅方向に非対称である、
請求項１から５のいずれか一に記載のＩＣカード装着ユニット。
【請求項７】
一方の面にパッド部が配置されたＩＣカードと同じ厚さで、第１の面と第２の面とを形成し、前記ＩＣカードが嵌合する第１の面と第２の面にかけてＩＣカードと同じ形状に嵌合部を形成するカードアダプタがスライド挿通される開口と、
前記カードアダプタのスライド挿通方向に交差する幅方向に並び、前記開口からスライド挿通されたカードアダプタに嵌合されているＩＣカードのパッド部に押圧力を持って接触する複数のコンタクトと、
前記開口からスライド挿通されたカードアダプタの第１の面、あるいは、第２の面のいずれかに対面する対面部と、
前記開口からスライド挿通されたカードアダプタに対して前記対面部よりも離れて位置する退避部と、
を備え、
前記退避部は、前記カードアダプタの第１の面、あるいは、第２の面のいずれかに配置され、前記スライド挿通方向に平行に厚みを持って延び、前記嵌合部を通る突部を含んで前記嵌合部に嵌合されたＩＣカードの脱落を防ぐ脱落防止部を通過させる空間領域を形成し、厚みを持った前記脱落防止部は、コンタクト間に前記スライド挿通方向に平行に凹状に設けられた退避部に入り込む、
カードコネクタ。
【請求項８】
一方の面にパッド部が配置されたＩＣカードと同じ厚さで、第１の面と第２の面とを形成するとともに、第１の面と第２の面にかけてＩＣカードと同じ形状に設けられ、前記ＩＣカードが嵌合する嵌合部とを有し、第１の面、あるいは、第２の面のいずれかに配置され、前記嵌合部に嵌合されたＩＣカードの脱落を防ぐ脱落防止部を有するカードアダプタであって、
前記脱落防止部は、前記カードアダプタのスライド挿通方向に平行に厚みを持って延び、前記嵌合部を通る突部を含み、
前記カードアダプタがスライド挿通される開口を形成するカードコネクタは、
前記カードアダプタのスライド挿通方向に交差する幅方向に複数並び、前記開口からスライド挿通されたカードアダプタに嵌合されているＩＣカードのパッド部に押圧力を持って接触するコンタクトと、
前記開口からスライド挿通されたカードアダプタの第１の面、あるいは、第２の面のいずれかに対面する対面部と、
前記開口からスライド挿通されたカードアダプタに対して前記対面部よりも離れて位置し、前記カードアダプタの脱落防止部の通過させる空間領域を形成する退避部を有し、
厚みを持った前記脱落防止部は、コンタクト間に前記スライド挿通方向に平行に凹状に設けられた退避部に入り込むカードアダプタ。
【発明の詳細な説明】
【技術分野】
【０００１】
本発明は、小型のＩＣカードを装着できるカードアダプタとこれに対応したカードコネクタとを備えるＩＣカード装着ユニット、並びに、このＩＣカード装着ユニットを構成するカードコネクタ及びカードアダプタに関する。
【背景技術】
【０００２】
携帯電話機や携帯音楽機器、デジタルカメラ等の端末機器では、機器本体の小型化が要請されている。このような端末機器に装着されて用いられるＩＣカードでは、その形状や端子の位置等の仕様が規格化（標準化）されている。一方、ＩＣカードそのもののさらなる小型化も行われている。例えば、携帯電話等に搭載され契約者情報や認証情報などが記録されている「ＵＳＩＭカード（ＵＩＭカード）」と互換性を保ちつつ小型化が図られた「ｍｉｎｉＳＩＭ」や、この「ｍｉｎｉＳＩＭ」よりも小さい「ｍｉｃｒｏＳＩＭ」（非特許文献１参照）である。なお、「ＵＳＩＭカード（ＵＩＭカード）」、「ｍｉｃｒｏＳＩＭ」及び「ｍｉｎｉＳＩＭ」は、同じ厚さである。
【０００３】
ここで、複数のＳＩＭカードに関する上記の例のように、あるＩＣカード（ここでは、基準カードと呼ぶ）とこれよりも小さいＩＣカード（ここでは、小型カードと呼ぶ）とで、互換性がある場合がある。この場合、小型カードに格納されたデータを、小型カードの読取装置と基準カードの読み取り装置との両方で読み取ることを実現したいという要請が生じる。この点、小型カードの大きさを基準カードの大きさに合わせ、かつ、小型カードのパッド部の位置を基準カードにおけるパッド部の位置に正確に合わせるための発明が、すでに開示されている。
【０００４】
一例として、特許文献１に記載のＩＣユニットホルダー１がある。このＩＣユニットホルダー１は、大面積の板状体のホルダー基板８を基本とする。ホルダー基板８は、小面積のＩＣユニット１が着脱可能に嵌め込み固定される保持穴１０が形成される。保持穴１０の内縁には周回状の受壁１１が設けられ、ＩＣユニット１はホルダー基板８の片面からのみ装着できるようになっている。溝１２は、保持穴１０の周縁に沿って形成される。ＩＣユニット１が保持穴１０に嵌め込まれる際、溝１２と保持穴１０との間に形成された弾性壁１３がたわみ、保持穴１０が変形する。
【０００５】
別の一例として、特許文献２に記載のＩＣカードアダプタ１がある。このＩＣカードアダプタ１は、ＩＣチップカード５を嵌合するための凹部６を有する。この凹部６の側面には突起７が設けられ、この突起７によりＩＣチップカード５が固定される。
【０００６】
また、特許文献３に記載のＩＣカードコネクタ用のトレイから想起される仮想的なＩＣカードアダプタの例として、図１７及び図１８に示すようなものが挙げられる。図１７及び図１８では、小型のＩＣカード９０２が装着されたＩＣカードアダプタ９０１が示されている。
【先行技術文献】
【特許文献】
【０００７】
【特許文献１】特許第３７７２２７８号公報
【特許文献２】特許第３８４５９４３号公報
【特許文献３】特開２０１０―２５１２２２号公報
【非特許文献】
【０００８】
【非特許文献１】大和  哲、"ケータイ用語の基礎知識  第４５５回：microSIMとは"、［online］、平成２２年２月１６日、株式会社ＩｍｐｒｅｓｓＷａｔｃｈ、［平成２２年１０月１９日検索］、インターネット〈URL：http://k-tai.impress.co.jp/docs/column/keyword/20100216_349303.html〉
【発明の概要】
【発明が解決しようとする課題】
【０００９】
特許文献１に記載のＩＣユニットホルダー１に保持されたカード体２は、ＩＣユニットホルダー１の厚さ方向に大きな力が加えられると外れてしまう。この点、特許文献２に記載のＩＣカードアダプタ１に嵌めこまれたＩＣチップカード５は、凹部６の底面に覆われるために、ＩＣカードアダプタ１の厚さ方向に大きな力が加えられても外れることはない。しかしながら、この凹部６の底面があるために、特許文献２に記載のＩＣカードアダプタ１はＩＣチップカード５より厚くなる。その結果、特許文献２に記載のＩＣカードアダプタ１を装着させるコネクタは、大型化してしまう。図１７及び図１８に記載のＩＣカードアダプタ９０１についても、同様にコネクタの大型化を余儀なくされる。
【００１０】
本発明は、上記の点を鑑みてなされたものであり、端末機器を大型化させずに、厚さが同一であり、長さ方向と幅方向の大きさが異なる複数のＩＣカードを端末機器に対応させることを目的とする。
【課題を解決するための手段】
【００１１】
本発明のＩＣカード装着ユニットは、一方の面にパッド部が配置されたＩＣカードと同じ厚さで、第１の面と第２の面とを形成するカードアダプタと、
前記カードアダプタに第１の面と第２の面にかけてＩＣカードと同じ形状に設けられ、前記ＩＣカードが嵌合する嵌合部と、
前記カードアダプタがスライド挿通される開口を形成するカードコネクタと、
前記カードコネクタに設けられ、前記カードアダプタのスライド挿通方向に交差する幅方向に複数並び、前記開口からスライド挿通されたカードアダプタに嵌合されているＩＣカードのパッド部に押圧力を持って接触するコンタクトと、
前記カードコネクタにおいて、前記開口からスライド挿通されたカードアダプタの第１の面、あるいは、第２の面のいずれかに対面する対面部と、
を備え、
前記カードアダプタは、前記カードアダプタの第１の面、あるいは、第２の面のいずれかに配置され、前記嵌合部に嵌合されたＩＣカードの脱落を防ぐ脱落防止部を有し、
前記脱落防止部は、前記スライド挿通方向に平行に厚みを持って延び、前記嵌合部を通る突部を含み、
前記カードコネクタは、前記開口からスライド挿通されたカードアダプタに対して前記対面部よりも離れて位置し、前記カードアダプタの脱落防止部の通過させる空間領域を形成する退避部を有し、
厚みを持った前記脱落防止部は、コンタクト間に前記スライド挿通方向に平行に凹状に設けられた退避部に、入り込む、ＩＣカード装着ユニットからなる。
【００１２】
本発明は、上記のカードコネクタ、及び、上記のカードアダプタについても規定する。
【発明の効果】
【００１３】
本発明によれば、カードアダプタに嵌合されたＩＣカードを脱落防止部が受け止めるため、特許文献１に記載のＩＣユニットホルダー１のように、ＩＣカードに対してその厚さ方向に所定のＩＣカード保持力よりも大きな力が加えられてもＩＣカードは外れない。そして、脱落防止部が退避部に入り込むので、ＩＣカード装着ユニットの全体が厚くなることはない。したがって、端末機器が大型化させずに、厚さが同一で、長さ方向と幅方向の大きさが異なる複数のＩＣカードを端末機器に対応させることができる。
【図面の簡単な説明】
【００１４】
【図１】第一の実施の形態での、ＩＣカード装着ユニットの斜視図である。
【図２】第一の実施の形態での、ＩＣカードの底面図である。
【図３】第一の実施の形態での、カードアダプタの平面図である。
【図４】第一の実施の形態での、ＩＣカードが取付けられた状態のカードアダプタの底面図である。
【図５】第一の実施の形態での、ＩＣカードが取付けられた状態のカードアダプタを底面側から見た斜視図である。
【図６】第一の実施の形態での、カバーが取り外された状態のカードコネクタの斜視図である。
【図７】第一の実施の形態での、カバーが取り外された状態のカードコネクタの平面図である。
【図８】第一の実施の形態での、図７のＣ−Ｃ線断面図である。
【図９】第一の実施の形態での、カードコネクタの正面図である。
【図１０】第一の実施の形態での、カードアダプタが装着された状態での図７のＣ−Ｃ線断面図である。
【図１１】第二の実施の形態での、ＩＣカードが取付けられた状態のカードアダプタを底面側から見た斜視図である。
【図１２】第四の実施の形態での、ＩＣカードが取付けられた状態のカードアダプタを底面側から見た斜視図である。
【図１３】第六の実施の形態での、ＩＣカード装着ユニットを上方から見た斜視図である。
【図１４】第六の実施の形態での、ＩＣカード装着ユニットを下方から見た斜視図である。
【図１５】第七の実施の形態での、ＩＣカード装着ユニットを下方から見た斜視図である。
【図１６】第七の実施の形態での、カードアダプタを装着させた状態でのカードコネクタの正面図である。
【図１７】特許文献３から想起される仮想的なＩＣカードアダプタを上方から見た斜視図である。
【図１８】特許文献３から想起される仮想的なＩＣカードアダプタを下方から見た斜視図である。
【発明を実施するための形態】
【００１５】
実施の一形態を、図１ないし図１０に基づいて説明する。説明の便宜上、本実施の形態を第一の実施の形態と呼ぶ。図１は、ＩＣカード装着ユニット１０１の斜視図である。ＩＣカード装着ユニット１０１は、カードアダプタ２０１と、カードコネクタ３０１とを備える。カードアダプタ２０１には、ＩＣカード４０１が着脱自在に取付けられる。カードアダプタ２０１は、カードコネクタ３０１に設けられた開口３０２からスライド挿通され、カードコネクタ３０１に装着される。カードコネクタ３０１は、携帯電話機や携帯音楽機器、デジタルカメラ等の端末機器５０１に搭載されており、ＩＣカード４０１と端末機器５０１との間のデータ通信経路を構成する。
【００１６】
図２は、ＩＣカード４０１の底面図である。図１及び図２を参照し、ＩＣカード４０１について説明する。ＩＣカード４０１は、長方形の一の角部に切欠部４０２を形成した概ね五角形の平坦な板状をなす。ＩＣカード４０１の一方の面４０１ａには、八個のパッド部４０３が配置されている。パッド部４０３は、ＩＣカード４０１に内蔵されたＩＣチップ（図示せず）に電気的に接続している。なお、パッド部４０３は、ＩＣカード４０１の他方の面４０１ｂには配置されていない。これらの八個のパッド部４０３のうち四個は、ＩＣカード４０１において切欠部４０２から延びる一方の短辺４０４側に寄せてこの短辺４０４と平行に並んでいる。残りの四個のパッド部４０３は、他方の短辺４０５に寄せてこの短辺４０５と平行に並んでいる。ＩＣカード４０１の一方の面４０１ａにおいて八つのパッド部４０３よりも外側で、パッド部４０３と一方の短辺４０４との間、パッド部４０３と他方の短辺４０５との間、パッド部４０３と切欠部４０２から延びる一方の長辺４０６との間、及び、パッド部４０３と他方の長辺４０７との間には、余白部４０８が形成される。また、短辺４０４，４０５の延びる方向に隣り合うパッド部４０３の間には、仕切部４０９が形成される。このようなＩＣカード４０１の一例は、ｍｉｃｒｏＳＩＭ規格の情報記憶媒体である。
【００１７】
カードアダプタ２０１は、ＩＣカード４０１よりも長く幅広で、長方形の一の角部に切欠部２０２を形成した五角形の平坦な板状をなす。カードアダプタ２０１の厚さは、ＩＣカード４０１の厚さと同じである。図１にあらわれているカードアダプタ２０１の一方の面を、第１の面２０１ａと呼ぶ。また、カードアダプタ２０１における第１の面２０１ａとは反対側の面を、第２の面２０１ｂ（図４、図５等参照）と呼ぶ。一例として、カードアダプタ２０１の外周の形状は、ＭｉｎｉＳＩＭ規格の情報記憶媒体と同じ形状をなしている。
【００１８】
カードアダプタ２０１には、嵌合部２０３が設けられる。嵌合部２０３は、カードアダプタ２０１の第１の面２０１ａから第２の面２０１ｂにかけて打ち抜かれ、平面視においてＩＣカード４０１と同じ形状をなす孔である。嵌合部２０３には、ＩＣカード４０１の切欠部４０２に対応する斜辺部２０３ａが形成される。この斜辺部２０３ａは、カードアダプタ２０１の切欠部２０２に平行に延びている。このような嵌合部２０３には、ＩＣカード４０１が嵌合する。このとき、ＩＣカード４０１は、第２の面２０１ｂ側（図１における下側）にパッド部４０３が向けられた状態で、第１の面２０１ａ（図１における上側）側から嵌入される。嵌合部２０３に嵌合されたＩＣカード４０１は、脱落防止部２０４Ａ（後述）に支持され、第２の面２０１ｂ側に脱落しないようになっている。
【００１９】
カードアダプタ２０１の第１の面２０１ａで、切欠部２０２から延びる一方の短辺２０６の近傍には、把持部２０７が設けられる。把持部２０７は、一方の短辺２０６に平行に延びる長円形状の凹みである。前述の嵌合部２０３は、把持部２０７と他方の短辺２０８との間で、他方の短辺２０８に寄せて設けられる。
【００２０】
図３は、カードアダプタ２０１の平面図である。図４は、ＩＣカード４０１が取付けられた状態のカードアダプタ２０１の底面図である。カードアダプタ２０１は、樹脂成形によって形成され、脱落防止部２０４Ａを備える。脱落防止部２０４Ａは、特許請求の範囲でいう「突部」に相当する概念としてのセンターリブ部２０４及びサイドリブ部２０５を含んでいる。センターリブ部２０４は、仕切部４０９（図２参照）をはじめ、嵌合部２０３に嵌合されたＩＣカード４０１の幅方向の中央の領域を支持する。サイドリブ部２０５は、余白部４０８をはじめ（図２参照）、嵌合部２０３に嵌合されたＩＣカード４０１の幅方向の端部の領域（長辺４０６，４０７の近傍の領域）を支持する。
【００２１】
センターリブ部２０４は、カードアダプタ２０１の第２の面２０１ｂに配置される。センターリブ部２０４は、棒状をなし、カードアダプタ２０１の一方の短辺２０６から他方の短辺２０８まで一杯に、カードアダプタ２０１のスライド挿通方向Ａに平行に延び、嵌合部２０３に掛け渡されている。センターリブ部２０４は、互いに離間して幅方向Ｂに三本並んでいる。ここで、幅方向Ｂとは、スライド挿通方向Ａとカードアダプタ２０１の厚さ方向とのいずれにも直交する方向である。センターリブ部２０４は、嵌合部２０３に嵌合されたＩＣカード４０１（図３では、一点鎖線で示されている）のパッド部４０３とコンタクト３５１（図６等参照）との接触を妨げないよう、嵌合部２０３に嵌合されたＩＣカード４０１の仕切部４０９に一致する箇所に配置される。
【００２２】
サイドリブ部２０５は、カードアダプタ２０１において切欠部２０２から延びる一方の長辺２０９に近い右サイドリブ部２０５Ｒと、他方の長辺２１０に近い左サイドリブ部２０５Ｌとを含む。右サイドリブ部２０５Ｒは、左サイドリブ部２０５Ｌに対して幅広である。右サイドリブ部２０５Ｒと左サイドリブ部２０５Ｌとのいずれも、サイドリブ受部２０５ａとサイドリブ基部２０５ｂとを有する。サイドリブ基部２０５ｂは、カードアダプタ２０１の第２の面２０１ｂに配置される。サイドリブ受部２０５ａは、カードアダプタ２０１が延びる面の方向と平行にサイドリブ基部２０５ｂから迫り出し、平面視において嵌合部２０３における幅方向Ｂの両側領域に位置する。サイドリブ部２０５は、スライド挿通方向Ａに平行に延びている。
【００２３】
図５は、ＩＣカード４０１が取付けられた状態のカードアダプタ２０１を底面側から見た斜視図である。センターリブ部２０４やサイドリブ部２０５（右サイドリブ部２０５Ｒ、左サイドリブ部２０５Ｌ）は、カードアダプタ２０１の第２の面２０１ｂに配置される。このため、センターリブ部２０４の厚みｄ１やサイドリブ部２０５（右サイドリブ部２０５Ｒ、左サイドリブ部２０５Ｌ）の厚みｄ２だけ、カードアダプタ２０１の厚みが増加する。これらの厚みｄ１，ｄ２によるＩＣカード装着ユニット１０１の全体の厚みの増加は、以下に述べるカードコネクタ３０１の退避部３０３によって防がれる。
【００２４】
再び図１を参照する。カードコネクタ３０１は、ボディ３０５にカバー３０４を被せて構成され、平面視略矩形の平坦な箱型形状をなす。ボディ３０５は、樹脂成形によって形成され、正面視において上方に開くコ字形状をなしている。ボディ３０５とカバー３０４とは、カードアダプタ２０１をスライド挿通させるための開口３０２を、カードコネクタ３０１の正面側の側面に形成する。
【００２５】
カバー３０４は、金属板をプレス加工して形成され、被覆部３０６と引っ掛け部３０７と爪部３０８と突き当て部３０９とを有する。被覆部３０６は、開口３０２の上縁からスライド挿通方向Ａに延びる平坦な部分である。被覆部３０６は、開口３０２からスライド挿通されたカードアダプタ２０１の浮き上がりを押さえつける。引っ掛け部３０７は、被覆部３０６の幅方向の両端部から下方に延びる部分で、ボディ３０５の両側部の外側の側面３０５ａ（図６参照）に沿う。引っ掛け部３０７は、ボディ３０５に対するカバー３０４のガタつきを防ぐ。爪部３０８は、引っ掛け部３０７の一部に切れ込み３０８ａを入れた後に折り曲げられて形成される。爪部３０８は、ボディ３０５の両側部の外側に設けられた爪受部３０５ｂに係合する。突き当て部３０９は、ボディ３０５における開口３０２とは反対側の端部から下方に延びる部分である。突き当て部３０９には、開口３０２からスライド挿通されたカードアダプタ２０１の先端部分（他方の短辺２０８）が突き当たる。
【００２６】
図６は、カバー３０４が取り外された状態のカードコネクタ３０１の斜視図である。図７は、カバー３０４が取り外された状態のカードコネクタ３０１の平面図である。図８は、図７のＣ−Ｃ線断面図である。カードコネクタ３０１のボディ３０５には、八個のコンタクト３５１が取付けられている。コンタクト３５１は、ＩＣカード４０１のパッド部４０３（図２参照）のそれぞれに対応する。コンタクト３５１は、パッド部４０３に接触して、端末機器５０１（図１参照）とＩＣカード４０１内のＩＣチップ（図示せず）との間の電気信号の通信経路を構成する。
【００２７】
八個のコンタクト３５１のうち四個は、開口３０２側に位置して幅方向Ｂに並んでいる。残りの四個のコンタクト３５１は、開口３０２とは反対側（奥側３１０と呼ぶ）に位置して幅方向Ｂに並んでいる。これらのコンタクト３５１の配置箇所に対応するように、ボディ３０５には、八箇所の凹部３０５ｃが形成されている。凹部３０５ｃは、平面視においてスライド挿通方向Ａに延びる長円形状をなす。いずれの凹部３０５ｃにおいても、開口３０２や奥側３１０から遠い方の端部には、コンタクト３５１の第２の端部３５１ｂ（後述）が載り摺動するための段部３０５ｄが形成されている。段部３０５ｄは、対面部３１２（後述）をなす面に対して下方に凹ませて形成される。
【００２８】
コンタクト３５１は、凹部３０５ｃのそれぞれに一つずつ設けられる。いずれのコンタクト３５１も、スライド挿通方向Ａに延びる長尺をなし、折り曲げられて側面視において上方に凸となる「く」字形状をなしている。
【００２９】
いずれのコンタクト３５１においても、開口３０２や奥側３１０に近い第１の端部３５１ａは、端から一部を残すようにして樹脂成形によってボディ３０５に埋設されている。これにより、第１の端部３５１ａは、ボディ３０５から凹部３０５ｃ内に向けて延びる第１の部分３５１ａａと、ボディ３０５から第１の部分３５１ａａとは反対側に突出する第２の部分３５１ａｂとを有することになる。この第２の部分３５１ａｂは、ボディ３０５の下方に位置する基板３１１のランドパターン３１１ａに接続されている。
【００３０】
いずれのコンタクト３５１においても、第１の端部３５１ａとは反対側の第２の端部３５１ｂは、コンタクト３５１に備わるバネ性によって、下方に向かう押圧力を持って段部３０５ｄに接し、この段部３０５ｄの上面をスライド挿通方向Ａに対して摺動できるようになっている。
【００３１】
いずれのコンタクト３５１においても、第１の端部３５１ａと第２の端部３５１ｂとの間に、「く」字形状の頂部３５１ｃが形成されている。この頂部３５１ｃの位置について述べる前に、ボディ３０５の構造の詳細について述べる。
【００３２】
ボディ３０５には、対面部３１２と退避部３０３とが設けられる。対面部３１２は、開口３０２からスライド挿通されたカードアダプタ２０１の下面に対面し、この下面を支持する。対面部３１２は、ボディ３０５の上面で、コンタクト３５１の間の領域に形成される。対面部３１２は、ボディ３０５の上面で、コンタクト３５１に対するスライド挿通方向Ａや幅方向Ｂに並ぶ領域にも形成される。
【００３３】
図９は、カードコネクタ３０１の正面図である。退避部３０３は、開口３０２からスライド挿通されたカードアダプタ２０１に対して対面部３１２から下方に凹み、スライド挿通方向Ａに切られた溝形状をなしている。退避部３０３は、脱落防止部２０４Ａ（センターリブ部２０４、サイドリブ部２０５）が、スライド挿通方向Ａ（図８等参照）にスライド嵌合する形状をなしている。ここで、センターリブ部２０４に対応する退避部３０３を、第１の退避部３０３ｐと呼ぶ。また、左サイドリブ部２０５Ｌに対応する退避部３０３を、第２の退避部３０３ｑと呼ぶ。また、右サイドリブ部２０５Ｒに対応する退避部３０３を、第３の退避部３０３ｒと呼ぶ。
【００３４】
退避部３０３における開口３０２側の端部には、面取部３０３ａが設けられる。退避部３０３は、開口３０２からスライド挿通されたカードアダプタ２０１のセンターリブ部２０４やサイドリブ部２０５を通過させるための空間領域が形成される。面取部３０３ａにセンターリブ部２０４やサイドリブ部２０５を滑り接触させることで、カードコネクタ３０１へのカードアダプタ２０１のスライド挿通はスムーズになる。
【００３５】
図４と図７とを参照し、退避部３０３とセンターリブ部２０４とサイドリブ部２０５との関係について述べる。前述したように、右サイドリブ部２０５Ｒは、左サイドリブ部２０５Ｌに対して幅広である。このため、切欠部２０２が開口３０２に向けられた状態でカードアダプタ２０１がカードコネクタ３０１に進入しようとすると、右サイドリブ部２０５Ｒは第２の退避部３０３ｑに引っ掛かってしまう。つまり、本実施の形態のカードアダプタ２０１には、カードコネクタ３０１に対するカードアダプタ２０１の逆差し防止のために、脱落防止部２０４Ａが、幅方向Ｂに非対称であって、退避部３０３に嵌合する形状をなしているという技術的思想が適用されている。このような技術的思想を応用した別の実施の形態として、センターリブ部２０４を幅方向Ｂにずらして、カードコネクタ３０１に対してカードアダプタ２０１が逆差しされそうになったときにセンターリブ部２０４が第１の退避部３０３ｐに引っ掛かり、逆差し防止を図ることも考えられる。
【００３６】
ここで、図８を参照し、コンタクト３５１及びその頂部３５１ｃについて述べる。コンタクト３５１は、凹部３０５ｃから上方に突出し、対面部３１２よりも上方に頂部３５１ｃを位置付ける。コンタクト３５１は、スライド挿通方向Ａに延びる緩やかな傾斜面３５１ｄを形成している。
【００３７】
図１０は、カードアダプタ２０１が装着された状態での図７のＣ−Ｃ線断面図である。図１、図４、図９、図１０を参照する。ＩＣカード４０１と端末機器５０１との間での通信を行うための手順を、以下に説明する。
【００３８】
まず、使用者は、ＩＣカード４０１を、パッド部４０３が配置された一方の面４０１ａをカードアダプタ２０１の第２の面２０１ｂ側に向け、斜辺部２０３ａに切欠部４０２を対応させて、カードアダプタ２０１の第１の面２０１ａ側から導入する。これにより、ＩＣカード４０１は嵌合部２０３に嵌合され、ＩＣカード４０１は、脱落防止部２０４Ａ（センターリブ部２０４、サイドリブ部２０５）に支持される。詳細には、余白部４０８を含むカードアダプタ２０１の一方の面４０１ａの両側部が、サイドリブ受部２０５ａに支持される。また、仕切部４０９を含むカードアダプタ２０１の一方の面４０１ａの中腹部が、センターリブ部２０４に支持される。つまり、本実施の形態のＩＣカード装着ユニット１０１によれば、カードアダプタ２０１に嵌合されたＩＣカード４０１をセンターリブ部２０４やサイドリブ部２０５が受け止めるため、ＩＣカード４０１に対してその厚さ方向に大きな力が加えられてもＩＣカード４０１は外れない。
【００３９】
続いて、使用者は、カードアダプタ２０１の把持部２０７を持ち、他方の短辺２０８を開口３０２に対面させて、他方の短辺２０８側から開口３０２に通過させて、ＩＣカード４０１が取り付けられたカードアダプタ２０１をカードコネクタ３０１に進入させる。このとき、センターリブ部２０４は、第１の退避部３０３ｐにスライド嵌合される。また、左サイドリブ部２０５Ｌは、第２の退避部３０３ｑにスライド嵌合される。また、右サイドリブ部２０５Ｒは、第３の退避部３０３ｒにスライド嵌合される。このように、本実施の形態のＩＣカード装着ユニット１０１では、センターリブ部２０４やサイドリブ部２０５は退避部３０３に入り込むので、ＩＣカード装着ユニット１０１の全体が厚くならない。
【００４０】
図１０を参照する。カードコネクタ３０１内でカードアダプタ２０１がスライド挿通方向Ａに沿って奥側３１０に進むと、カードアダプタ２０１の先端部分（他方の短辺２０８）は、コンタクト３５１の傾斜面３５１ｄに接触する。カードアダプタ２０１がさらに進むと、先端部分（他方の短辺２０８）はコンタクト３５１を押し下げる。このとき、コンタクト３５１の第２の端部３５１ｂは段部３０５ｄを摺動し、コンタクト３５１の頂部３５１ｃは下方に変位する。カードアダプタ２０１がさらに進むと、カードアダプタ２０１は頂部３５１ｃに乗り上がる。そして、先端部分（他方の短辺２０８）が突き当て部３０９に突き当たるまでカードアダプタ２０１が進むと、カードアダプタ２０１に装着されたＩＣカード４０１のパッド部４０３は、このパッド部４０３に対応するコンタクト３５１の頂部３５１ｃの位置に到達する。コンタクト３５１は、それ自身のバネ性によって、頂部３５１ｃを上方に押し上げる。これにより、頂部３５１ｃは、パッド部４０３に押圧力を持って接する。この押圧力によるカードアダプタ２０１やＩＣカード４０１の浮き上がりは、カバー３０４の被覆部３０６によって防止される。
【００４１】
また、使用者は、カードコネクタ３０１に装着されたカードアダプタ２０１の把持部２０７を持って、カードアダプタ２０１をカードコネクタ３０１から引き抜くことができる。
【００４２】
なお、カードアダプタ２０１と同じ形状を有し、カードアダプタ２０１に取付けられたＩＣカード４０１の配置位置にパッド部を備えた、ＩＣカード４０１よりも大きい別の規格のＩＣカードをカードコネクタ３０１に装着できることは、言うまでもない。
【００４３】
以上のように、本実施の形態のＩＣカード装着ユニット１０１では、センターリブ部２０４やサイドリブ部２０５が設けられつつも、ＩＣカード装着ユニット１０１が大型化しない。その結果、このＩＣカード装着ユニット１０１が搭載される端末機器５０１が大型化しない。そして、互換性があり大きさが異なっている、ＩＣカード４０１とこれよりも大きい別の規格のＩＣカードとの両方を、端末機器５０１に対応させることができる。
【００４４】
また、本実施の形態のＩＣカード装着ユニット１０１では、センターリブ部２０４やサイドリブ受部２０５ａがスライド挿通方向Ａに延びている。このために、カードコネクタ３０１に対するカードアダプタ２０１の装着及び引き抜きのいずれにおいても、センターリブ部２０４やサイドリブ受部２０５ａがコンタクト３５１に引っかからない。
【００４５】
また、本実施の形態のＩＣカード装着ユニット１０１では、退避部３０３（第１の退避部３０３ｐ、第２の退避部３０３ｑ、第３の退避部３０３ｒ）は、開口３０２からスライド挿通されたカードアダプタ２０１に対して離れる方向に凹み、スライド挿通方向Ａに延び、センターリブ部２０４やサイドリブ部２０５がスライド嵌合する溝形状をなしている。このため、開口３０２からスライド挿通されたカードアダプタ２０１は幅方向Ｂにガタつかない。
【００４６】
さらに、本実施の形態のＩＣカード装着ユニット１０１では、脱落防止部２０４Ａ（センターリブ部２０４、サイドリブ部２０５）は、幅方向Ｂに非対称となっている。このため、カードコネクタ３０１に対するカードアダプタ２０１の逆差しが防止される。
【００４７】
また、本実施の形態のＩＣカード装着ユニット１０１では、前述の通り、コンタクト３５１の第２の端部３５１ｂが段部３０５ｄ内を摺動するように構成されていることで、第２の端部３５１ｂとカードアダプタ２０１とが干渉することがない。このため、カードアダプタ２０１を挿入する際、および、引き抜く際において、第２の端部３５１ｂがカードアダプタ２０１に引っかかることに起因するコンタクト３５１の変形が生じない。
【００４８】
なお、脱落防止部２０４Ａの形状は、第一の実施の形態の内容に限定されない。第一の実施の形態を変形させた第二の実施の形態として、センターリブ部２０４を省略し、サイドリブ部２０５のみによってＩＣカード４０１を支持する態様が考えられる（図１１参照）。
【００４９】
また、第一の実施の形態を変形させた第三の実施の形態として、サイドリブ部２０５を省略し、センターリブ部２０４のみによってＩＣカード４０１を支持する態様が考えられる。
【００５０】
また、脱落防止部２０４Ａ（センターリブ部２０４、サイドリブ部２０５）は、第一の実施の形態に示されるように嵌合部２０３のスライド挿通方向Ａに対する全てに渡って設けられる必要は必ずしもなく、嵌合部２０３内でＩＣカード４０１をカードアダプタ２０１に対して平行に支持することができる形状の範囲で種々に変形することが考えられる。具体的には、第一の実施の形態や第二の実施の形態、第三の実施の形態を変形させた第四の実施の形態として、例えば、センターリブ部２０４を、嵌合部２０３の中央部付近で切り離し、ＩＣカード４０１の短辺４０４，４０５付近に、嵌合部２０３の内側へ向けて凸状に突出する突出部２０４ａをカードアダプタ２０１に備えるようにしても良い（図１２参照）。
【００５１】
また、第五の実施の形態として、突部を、第一の実施の形態や第三の実施の形態、第四の実施の形態に示されたセンターリブ部２０４を嵌合部２０３に掛け渡すようにはしないが、第四の実施の形態に示された突出部２０４ａよりも長く形成してスライド挿通方向Ａに平行に延ばし、嵌合部２０３を通るように形成してもよい。
【００５２】
次いで、さらに別の実施の形態を、図１３及び図１４に基づいて説明する。説明の便宜上、本実施の形態を第六の実施の形態と呼ぶ。本実施の形態において、先行して述べた実施の形態（第一の実施の形態〜第五の実施の形態）と同一の部分には同一の符号を用い、説明も省略する。
【００５３】
図１３は、ＩＣカード装着ユニット１０１を上方から見た斜視図である。図１４は、ＩＣカード装着ユニット１０１を下方から見た斜視図である。本実施の形態のカードアダプタ２０１には、ＩＣカード４０１が、パッド部４０３が配置された一方の面４０１ａを上方に向けた状態で、嵌合部２０３に嵌入される。詳細には、カードアダプタ２０１は、第１の面２０１ａ（図１にあらわれているカードアダプタ２０１の一方の面）が下方に向けられ、第２の面２０１ｂが上方に向けた状態で用いられる。また、本実施の形態では、把持部２０７は第１の面２０１ａから第２の面２０１ｂまで貫通している。ここで、使用者が把持部２０７を持つと、カードアダプタ２０１の切欠部２０２も嵌合部２０３に形成された斜辺部２０３ａも把持部２０７に対して左側に位置することになる。また、サイドリブ部２０５は、第１の面２０１ａに設けられている。ここで、サイドリブ部２０５は、先端側に向く短辺２０８から嵌合部２０３一杯に渡され把持部２０７の近傍位置まで延びている。また、本実施の形態のカードアダプタ２０１は、センターリブ部２０４を有しない。
【００５４】
本実施の形態のカードコネクタ３０１は、第一の実施の形態〜第五の実施の形態におけるカードコネクタ３０１とは上下を反転して用いられる。すなわち、本実施の形態では、カバー３０４は下方に位置付けられ、コンタクト３５１は上方に位置付けられ、側面視において下方に凸となる「く」字形状をなし、開口３０２からスライド挿通されたカードアダプタ２０１の浮き上がりを押さえつける。
【００５５】
本実施の形態のＩＣカード装着ユニット１０１を用いるにあたり、使用者は、ＩＣカード４０１を、パッド部４０３が配置された一方の面４０１ａをカードアダプタ２０１の第２の面２０１ｂ側（上方）に向け、かつ、パッド部４０３が配置されていない他方の面４０１ｂをカードアダプタ２０１の第１の面２０１ａ（下方）に向け、斜辺部２０３ａに切欠部４０２を対応させて、カードアダプタ２０１の第２の面２０１ｂ側（上方）から導入する。これにより、ＩＣカード４０１は嵌合部２０３に嵌合され、ＩＣカード４０１は、サイドリブ部２０５に支持される。
【００５６】
続いて、使用者は、カードアダプタ２０１の把持部２０７を持ち、他方の短辺２０８を開口３０２に対面させて、他方の短辺２０８側から開口３０２に通過させて、ＩＣカード４０１が取り付けられたカードアダプタ２０１をカードコネクタ３０１に進入させる。カードコネクタ３０１内でカードアダプタ２０１がスライド挿通方向Ａに沿って奥側３１０に進むと、カードアダプタ２０１の先端部分（他方の短辺２０８）は、コンタクト３５１の傾斜面３５１ｄに接触して、コンタクト３５１を押し上げる。ここで、本実施の形態では、カードアダプタ２０１やＩＣカード４０１の浮き上がりは、コンタクト３５１によって防止される。
【００５７】
次いで、さらに別の実施の形態を、図１５及び図１６に基づいて説明する。説明の便宜上、本実施の形態を第七の実施の形態と呼ぶ。本実施の形態において、先行して述べた実施の形態（第一の実施の形態〜第六の実施の形態）と同一の部分には同一の符号を用い、説明も省略する。なお、本実施の形態は、第一の実施の形態〜第五の実施の形態に述べたような向きに向けられたカードアダプタ２０１、カードコネクタ３０１及びＩＣカード４０１を前提として説明を行うが、当然のことながら第六の実施の形態にも適用できるものである。
【００５８】
図１５は、ＩＣカード装着ユニット１０１を下方から見た斜視図である。図１６は、カードアダプタ２０１を装着させた状態でのカードコネクタ３０１の正面図である。本実施の形態では、把持部２０７は第１の面２０１ａから第２の面２０１ｂまで貫通している。また、本実施の形態のカードアダプタ２０１は、センターリブ部２０４を有しない。また、本実施の形態では、サイドリブ部２０５（左サイドリブ部２０５Ｌ、右サイドリブ部２０５Ｒ）は、先端側に向く短辺２０８から嵌合部２０３一杯に渡され把持部２０７の近傍位置まで延びている。
【００５９】
本実施の形態では、カードアダプタ２０１におけるスライド挿通方向Ａと平行な側面とカードコネクタ３０１の内側面とが凹凸嵌合し、さらに、この凹凸嵌合が幅方向Ｂに非対称である。このため、カードコネクタ３０１に対するカードアダプタ２０１の逆差しが防止される。さらに、使用者は、カードアダプタ２０１の側面に形成された凹凸形状を見て、カードアダプタ２０１の表裏や左右方向を認識でき、使用者が逆指し状態のままでカードアダプタ２０１を無理矢理挿入しカードコネクタ３０１を破損させてしまうようなことがなくなる。この点、以下に詳細に述べる。
【００６０】
カードアダプタ２０１における左サイドリブ部２０５Ｌに近い方の側面２０１ｃには、リブ突起２０１ｄが形成される。リブ突起２０１ｄは、スライド挿通方向Ａに見て、左サイドリブ部２０５Ｌと同程度の長さを有し、先端側に向く短辺２０８から把持部２０７の近傍位置まで延びている。また、リブ突起２０１ｄは、カードアダプタ２０１の厚さ方向に見て、カードアダプタ２０１の厚さのほぼ半分である。なお、このようなリブ突起２０１ｄは、カードアダプタ２０１における右サイドリブ部２０５Ｒに近い方の側面２０１ｅには設けられていない。
【００６１】
カードコネクタ３０１における正面側から見て左側の端部には、カードアダプタ２０１に設けられたリブ突起２０１ｄが入り込む嵌合凹部３０１ａが形成される。嵌合凹部３０１ａは、ボディ３０５よりも上方で、カバー３０４の幅方向Ｂの左側の上方の端部に形成された折り曲げ部３０４ａの近傍に形成される。そして、嵌合凹部３０１ａは、カードコネクタ３０１内で、開口３０２からスライド挿通方向Ａ（図１６における紙面に垂直な方向）にリブ突起２０１ｄと同じ長さに延びている。このような嵌合凹部３０１ａは、カードコネクタ３０１における正面側から見て右側の端部には形成されていない。
【００６２】
カードアダプタ２０１がカードコネクタ３０１にスライド挿通される際、カードアダプタ２０１のリブ突起２０１ｄとカードコネクタ３０１の嵌合凹部３０１ａとは、凹凸嵌合する。ここで、カードアダプタ２０１のリブ突起２０１ｄとカードコネクタ３０１の嵌合凹部３０１ａとは幅方向Ｂに非対称であり、カードコネクタ３０１に対するカードアダプタ２０１の逆差しが防止されることになる。
【００６３】
以上、第一の実施の形態〜第七の実施の形態について述べたが、各実施の形態で具体的に説明している部分を、他の実施の形態と適宜組み合わせることができるのは、言うまでもない。
【符号の説明】
【００６４】
１０１    ＩＣカード装着ユニット
２０１    カードアダプタ
２０１ａ  第１の面
２０１ｂ  第２の面
２０１ｄ  リブ突起
２０３    嵌合部
２０４Ａ  脱落防止部
２０４    センターリブ部（突部）
２０４ａ  突出部
２０５    サイドリブ部（突部）
３０１    カードコネクタ
３０１ａ  嵌合凹部
３０２    開口
３０３    退避部
３１２    対面部
３５１    コンタクト
４０１    ＩＣカード
４０３    パッド部
Ａ        スライド挿通方向
Ｂ        幅方向
【図１】
0005152303.tif 000002
【図２】
0005152303.tif 000003
【図３】
0005152303.tif 000004
【図４】
0005152303.tif 000005
【図５】
0005152303.tif 000006
【図６】
0005152303.tif 000007
【図７】
0005152303.tif 000008
【図８】
0005152303.tif 000009
【図９】
0005152303.tif 000010
【図１０】
0005152303.tif 000011
【図１１】
0005152303.tif 000012
【図１２】
0005152303.tif 000013
【図１３】
0005152303.tif 000014
【図１４】
0005152303.tif 000015
【図１５】
0005152303.tif 000016
【図１６】
0005152303.tif 000017
【図１７】
0005152303.tif 000018
【図１８】
0005152303.tif 000019